(57)【要約】  広告主に関連する広告バナーを用いて、広告主が少なくとも一人のユーザと通信を開始できるようにするシステム、方法、および広告バナーである。広告バナーはユーザと広告主との間の呼出しを開始できるようにする呼出しツールを含み、呼出しツールは、呼出しツールを活動化するための少なくとも１つの活動化条件を含む予め定めた規則に従って活動化しまた非活動化する。
2011509481.tif 000002
【特許請求の範囲】
【請求項１】
広告主と少なくとも一人のユーザとの間の通信を開始するためのシステムであって、
前記広告主に関連する広告バナーであって、少なくとも１つのネットワークページ内に埋め込まれる広告バナーと、
前記広告バナーを維持しまた更新するための少なくとも１台の中央サーバと、
少なくとも一人のユーザの少なくとも１台のユーザの通信装置と、
少なくとも１台の広告主の通信装置と、
を含み、
前記広告バナーは広告内容と呼出しツールとを含み、
前記呼出しツールは前記広告主の通信装置と前記ユーザの通信装置との間の呼出しを開始させ、
前記システムは予め定めた規則に従って前記呼出しツールを活動化および非活動化させ、前記規則は少なくとも１つの活動化条件を含み、少なくとも１つの活動化条件を満たしたことを確認すると呼出しツールを活動化させる、
通信を開始するためのシステム。
【請求項２】
前記少なくとも１つの活動化条件は、前記ユーザが実施するイベントに依存する条件と、前記広告主が予め定めたイベントに依存する条件の少なくとも１つである、請求項１記載の通信を開始するためのシステム。
【請求項３】
前記中央サーバは、前記開始した呼出しに関するデータと広告主およびその通信装置に関する登録された項目とを記憶する少なくとも１台のデータベースに関連して動作し、許可された広告主はその中に記憶されたデータを検索することができる、請求項１記載の通信を開始するためのシステム。
【請求項４】
前記広告主に関する前記活動化条件は、
前記広告主の口座の前払い残高と、
前記広告主が定義した予め定めた呼出しスケジュールと、
呼出しトラフィック負荷と、
ユーザの地理的位置、
の少なくとも１つを含む、請求項２記載の通信を開始するためのシステム。
【請求項５】
前記ユーザが実施するイベントに依存する前記活動化条件は、
疑わしいバナーと、
呼出しアプリケーションの問題のある使用の履歴と、
前記ユーザの地理的位置と、
前記バナーがロードされた回数と、
前記特定のバナー内の呼出しの予め定めたしきい値割当ての超過、
の少なくとも１つを含む、請求項２記載の通信を開始するためのシステム。
【請求項６】
前記中央サーバは更に少なくとも１台の呼出しシステムに関連して動作して、前記少なくとも１つの通信ネットワークを介して電話呼出しを実行しまたデータを前記中央サーバに送ることにより呼出しおよび口座に関係する情報に関して前記中央サーバを更新できるようにし、
前記サーバは、広告主が個人口座を開き、カスタム化し、定義することにより、広告主がバナーを定義し、作成し、アップロードし、カスタム化し、呼出しツールおよびその内容をカスタム化し、呼出しの前払いを行い、そのバナーを通して行った呼出しに関する統計的データを見ることができるようにし、
前記呼出しシステムは通信オペレータであって、前記ユーザの通信装置と前記広告主の通信装置の間で少なくとも１つの通信ネットワークを介して行われる呼出しに関するデータを記憶しまた送ることができるようにし、前記呼出しは前記バナーの前記呼出しツールおよび広告主の口座残高やその他の口座に関する項目により開始する、
請求項１記載の通信を開始するためのシステム。
【請求項７】
複数の広告主がそのバナーを作成し、管理し、監視し、カスタム化できるようにするバナーマネージャに関連する、請求項１記載の通信を開始するためのシステム。
【請求項８】
前記バナーマネージャは、
バナーカスタム化ツールと、
制御モジュールと、
口座モジュールと、
の少なくとも１つを含み、
前記バナーカスタム化ツールは、前記広告主がバナーを作成し、更新し、カスタム化しまた種々の通信装置の間で呼出しを実施しまた開始するために前記通信ネットワークおよび構成を定義しまた更新できるようにし、前記制御モジュールは前記カスタム化ツールが作成したバナーを監視しまた管理できるようにし、また前記口座モジュールは、ユーザインターフェースであって、前記広告主が前記広告主のバナーに関連する全てのデータを含む個人口座を開きまた管理し、前記広告主に関する統計的呼出しデータを記憶しまた更新し、前記バナーの呼出しおよび広告サービスに対して支払いできるようにするユーザインターフェースである、
請求項１記載の通信を開始するためのシステム。
【請求項９】
前記口座モジュールは更に全ての広告主の口座を管理し、また各広告主の資金状態を前記中央サーバに送って前記サーバが前記活動化条件の少なくとも一部としてこのデータを計算しまた考慮できるようにする、請求項８記載の通信を開始するためのシステム。
【請求項１０】
前記バナーカスタム化ツールは、前記広告主が前記バナー内の広告の内容を作成し、カスタム化し、更新できるようにする内容カスタム化モジュールを含む、請求項８記載の通信を開始するためのシステム。
【請求項１１】
前記バナーカスタム化ツールは呼出しツールカスタム化モジュールを更に含み、前記呼出しツールカスタム化モジュールは、前記広告主が前記呼出しツールと前記呼出しツールの機能およびパラメータとを作成し、更新し、カスタム化できるようにする、請求項８記載の通信を開始するためのシステム。
【請求項１２】
前記バナーカスタム化ツールは統合モジュールを更に含み、前記統合モジュールは前記広告主が前記バナー内の前記呼出しツールと広告内容とを自動的に統合させて、前記広告主が行ったカスタム化に従って、また異なる広告ネットワークおよび発行者ウエブページの構成要求に従って、前記ネットワークページ内に前記バナーを提示できるようにする、請求項８記載の通信を開始するためのシステム。
【請求項１３】
前記バナーカスタム化ツールはグラフィカルユーザインターフェース・アプリケーションを用いてグラフィカルおよびオーディオ編集および作成ツールを提供して、前記広告主が前記カスタム化および更新を行うことができるようにする、請求項８記載の通信を開始するためのシステム。
【請求項１４】
前記広告主の通信装置と前記ユーザの通信装置との間の前記通信はボイス・オーバー・インターネット技術を用いて行い、前記装置はインターネット通信ネットワークを介して通信することができる、請求項１記載の通信を開始するためのシステム。
【請求項１５】
前記呼出しツールを活動化すると前記バナーの前記広告内容を自動的に変えることができる、請求項１記載の通信を開始するためのシステム。
【請求項１６】
前記呼出しツールはインターフェースを含み、前記インターフェースは前記ユーザが自分の通信装置の識別を入力するための入力フィールドと、仮想の呼出しボタンであって、ユーザが前記ボタンを押すと呼出しを承認し、前記ボタンを押すと呼出しが自動的に開始される呼出しボタンとを含む、請求項１記載の通信を開始するためのシステム。
【請求項１７】
前記呼出しツールを活動化すると、前記呼出しツールの活動化状態を示す視覚表示が提示される、請求項１記載の通信を開始するためのシステム。
【請求項１８】
前記トリガリングにより、ユーザはインターフェースを入力して前記インジケータをトリガすることにより前記インターフェースから呼出しを開始できるようになり、前記トリガリングは、前記インジケータ上でカーソルを動かすことと、前記インジケータ領域上でクリックすることのどちらかを含む、請求項１７記載の通信を開始するためのシステム。
【請求項１９】
前記インターフェースは前記ユーザとの呼出しを開始するためのユーザの通信装置のユーザの識別子を記憶しまた検索し、前記インターフェースに入力した前記サーバに関連する任意のバナーの最後の識別子は前記ユーザの識別子のデフォルトオプションとして用いられる、請求項１７記載の通信を開始するためのシステム。
【請求項２０】
広告主の少なくとも１つの広告バナー内の呼出しツールを活動化しまた非活動化するコンピュータで実現する方法であって、前記バナーは少なくとも１つのネットワークページ内に埋め込まれ、前記呼出しツールは前記広告主とユーザとの間の呼出しを開始させ、前記方法は、
少なくとも１つの予め定めた活動化条件を満たしたことを確認することと、
前記少なくとも１つの活動化条件を確認すると、前記呼出しツールを活動化することと、
ユーザが前記開始をトリガすると、ユーザの通信装置と広告主の通信装置との間の呼出しを開始することと、
を含む、コンピュータで実現する方法。
【請求項２１】
予め定めた規則に従って少なくとも１つの予め定めた確認条件をチェックすることを更に含み、前記活動化条件が確認されたときだけ前記呼出しツールは活動化する、請求項２０記載のコンピュータで実現する方法。
【請求項２２】
前記バナーと通信する少なくとも１台の中央サーバは前記活動化条件を確認し、前記活動化条件に従って前記呼出しツールを活動化しまた非活動化する、請求項２０記載のコンピュータで実現する方法。
【請求項２３】
前記呼出しの前記開始は、前記広告主の通信装置が少なくとも１つの通信ネットワークを介して前記広告主の費用で前記ユーザの通信装置を自動的に呼び出すことにより行う、請求項２２記載のコンピュータで実現する方法。
【請求項２４】
呼出しに関するデータを前記中央サーバに送ることを更に含み、前記サーバに関連して動作する呼出しシステムは、呼出しを開始しまた呼出しに関係するデータを前記サーバに送り、前記サーバは少なくとも１台のデータベースに関連して動作して前記データを記憶する、請求項２３記載のコンピュータで実現する方法。
【請求項２５】
更に、
呼出しデータを処理し、前記中央サーバは、呼出しに関係するデータを統計的モジュールに従って処理し、各広告主に関連するデータを処理して統計値を出力して、ユーザがセールスプロモータとしての前記バナーの効率を測定できるようにし、
前記データベースから情報を検索して、得られた統計処理結果を広告主が検索して見ることができるようにする、
請求項２４記載のコンピュータで実現する方法。
【請求項２６】
ユーザの電話番号を入力フィールドに入力することを更に含み、前記番号はユーザの通信装置を識別し、仮想の呼出しボタンを押すと前記広告主から前記ユーザへの呼出しを開始し、
前記番号を入力して前記呼出しボタンを押すと、前記広告主の通信装置と前記ユーザの通信装置との間の呼出しを自動的に開始する、
請求項２０記載のコンピュータで実現する方法。
【請求項２７】
前記呼出しツールを活動化するための活動化条件を定義することを更に含み、
バナーの前記カスタム化、更新、および作成はバナーカスタム化ツールを用いて行い、バナーマネージャは更に、広告主が個人口座を開きまた更新して、広告主が呼出しに対する前払いを行い、各広告主口座から開始した呼出しに関する統計的情報を処理しまた見ることができるようにする、
請求項２０記載のコンピュータで実現する方法。
【請求項２８】
前記呼出しツールを活動化すると前記呼出しツールの活動化状態を示す視覚表示が提示され、これにより前記ユーザはインターフェースを入力して、インジケータをトリガすることによりインターフェースからの呼出しを開始することができる、請求項２０記載のコンピュータで実現する方法。
【請求項２９】
前記トリガリングは、前記インジケータ上でカーソルを動かすことと、前記インジケータ領域上でクリックすることのどちらかを含む、請求項２０記載のコンピュータで実現する方法。
【請求項３０】
前記ユーザの装置からデータを集めて記憶することを更に含み、前記呼出しツールはユーザによりトリガされ、前記データは前記ユーザの通信装置および前記呼出しに関係する、請求項２０記載のコンピュータで実現する方法。
【請求項３１】
広告内容および呼出しツールを含む広告バナーであって、前記バナーは前記呼出しツールを活動化することより、予め定めた広告主の通信装置と少なくとも１台のユーザの通信装置との間の呼出しを開始させ、前記バナーは中央サーバに関連して動作して前記バナーを維持しまた制御し、また前記呼出しツールおよび広告内容を動作させ、
前記呼出しツールは少なくとも１つの予め定めた活動化条件に従って活動化される、
広告バナー。
【請求項３２】
インターフェースを提供して、ユーザが前記広告主との呼出しを実行するためのユーザの通信装置に関連する少なくとも１つの識別子を含むデータを入力できるようにし、前記広告バナーは少なくとも１つの識別子を記憶して、将来前記識別子を複数のバナーの複数の呼出しツール内で使えるようにする、請求項３１記載の広告バナー。
【発明の詳細な説明】
【技術分野】
【０００１】
関連特許の相互参照
本出願は２００８年１月１０日出願の米国仮特許出願第６１／００６，３７８号の利益の権利を主張し、その全体をここに援用する。
本発明は一般に広告バナーの分野に関し、より特定すると電話解決（ｔｅｌｅｐｈｏｎｅ  ｓｏｌｕｔｉｏｎｓ）を持つ広告バナーに関するものである。
【背景技術】
【０００２】
広告バナーまたはウエブバナーは、ウエブページなどのネットワークページ内に広告を埋め込むことができる電子広告（例えば、ソフトウエアコード）の１つの形である。バナーは、バナーが埋め込まれたネットワークページを見るユーザの注意をひくことを目的とする。同じバナーを２つ以上のウエブサイトまたは通信ネットワークの２つ以上のページ内に埋め込んでよく、バナーをネットワークまたはウエブサイトページの定義および要求に適応させるための適応を行ってよい。
広告バナーは、この技術で周知の、例えば、ジャバ、シルバーライト、フラッシュ、ショックウエーブなどの内容技術を用いる、オーディオ、グラフィック、ビデオ、および／またはアニメーションの広告内容を含む豊富なメディアファイルでよい。
【０００３】
バナーは、予め定めた規則または条件に従ってページ内に埋め込んでよい。例えば、バナーの内容は、ユーザがページスクリーン上の予め定義した領域を介してカーソルを動かしたときだけ（例えば、コンピュータのマウスまたはキーボードを用いて）、またはページ上の予め定めた領域および／またはこの技術で周知の他の条件をクリックしたときだけ現われてよい。
【０００４】
１つ以上の外部ウエブサイトのウエブページ上に現われるバナーは、通常、広告主のウエブサイト（以後「ソースウエブサイト」と呼ぶ）に向かう。通常、バナーは広告サーバにより配信される。広告サーバは、外部ウエブサイト視聴者の特徴、このウエブサイトで用いられている技術のタイプ、およびバナーとの対話を数えて記憶する方法などの種々のパラメータに従って、バナーを外部ウエブサイト内に埋め込む。
【先行技術文献】
【特許文献】
【０００５】
【特許文献１】米国仮特許出願第６１／００６，３７８号明細書
【特許文献２】米国仮特許出願第６１／００６，３７９号明細書
【発明の概要】
【課題を解決するための手段】
【０００６】
いくつかの実施例では、本発明は広告主に関連する広告バナーを用いて、広告主が少なくとも一人のユーザと通信を開始できるようにするためのシステム、方法、および広告バナーを提供する。広告バナーはユーザと広告主との間の呼出しを開始させるための呼出しツールを含んでよい。この呼出しツールは、呼出しツールを活動化するときに従うべき少なくとも１つの活動化条件を含む予め定めた規則に従って活動化しまた非活動化する。呼出しアプリケーションはバナー内の独立の層として実現してよく、これはバナーの元の機能を妨げない。
【０００７】
本発明のいくつかの実施例では、システムは、
広告主の少なくとも１つの広告バナーを含む少なくとも１つの外部ネットワークページであって、バナーは前記ネットワークページ内に埋め込まれまた位置決めされる、外部ネットワークページと、
広告バナーを維持しまた更新するための少なくとも１台の中央サーバと、
少なくとも一人のユーザの少なくとも１台のユーザの通信装置と、
少なくとも１台の広告主の通信装置と、
を含んでよい。
【０００８】
本発明のいくつかの実施例では、広告バナーは広告内容と呼出しツールとを含んでよく、呼出しツールは広告主の通信装置とユーザの通信装置との間の呼出しを開始させてよい。
本発明のいくつかの実施例では、システムは予め定めた規則に従って呼出しツールを活動化しまた非活動化させてよく、この規則は少なくとも１つの活動化条件を含み、前記少なくとも１つの活動化条件を満たしたことを確認すると呼出しツールを活動化させる。かかる活動化条件はサーバ、またはユーザのコンピュータ化された通信装置であるクライアントが満たしてよく、または条件の定義に従ってサーバとクライアントの両方が満たしてよい。
【０００９】
本発明のいくつかの実施例では、方法は、
少なくとも１つの予め定めた活動化条件を満たしたことを確認することと、
呼出しツールを活動化することにより前記呼出しツールを活動化し、前記少なくとも１つの活動条件を確認すると前記呼出しツールを活動化することと、
ユーザが開始を承認するとユーザの通信装置と広告主の通信装置との間の呼出しを開始することと、
を含んでよい。
【図面の簡単な説明】
【００１０】
本発明の主題は、添付の図面を参照して、例であって単に本発明を説明する目的のために示す実施例の以下の記述を見れば明らかに理解することができる。
【図１】本発明のいくつかの実施例に係る、呼出しツールを追加した広告バナーを支援するシステムの概要を示すブロック図である。
【図２】本発明のいくつかの実施例に係る、広告バナーにより呼出しを活動化しまた開始する方法の概要を示す流れ図である。
【図３】本発明のいくつかの実施例に係る、入力インターフェースを持つ広告バナーの概要を示すブロック図である。
【図４】本発明のいくつかの実施例に係る、バナーの入力インターフェースにより呼出しを活動化しまた開始する方法の概要を示す流れ図である。
【図５】本発明のいくつかの実施例に係る、バナーカスタム化ツールの概要を示すブロック図である。
【発明を実施するための形態】
【００１１】
（発明のいくつかの実施例の詳細な説明）
図面と説明とにより、本発明を実際に実現する方法が当業者に明らかになる。
いくつかの実施例では、本発明はシステム１０００と、方法と、広告バナー１００（追加の呼出しツール１２０と共に組み込むことができる広告内容１１０を含む）とを提供する。
以下の説明は多くの仕様を含むが、これらは本発明の範囲の限界ではなく、好ましい実施例の例示と解釈すべきである。当業者はその範囲内にある他の可能な形を考えるであろう。したがって、本発明の範囲は、例示した実施例ではなく、クレームおよびその法的均等物により決定すべきものである。
【００１２】
或る実施例は本発明の一例または実現例である。「１つの実施例」、「或る実施例」、「いくつかの実施例」という種々の表現は必ずしも全て同じ実施例を指すものではない。本発明の種々の機能を単一の実施例の文脈で説明することがあるが、これらの機能は別々に、または任意の適当な組合せで与えてもよい。逆に、明確にするために本発明を別々の実施例の文脈で説明することがあるが、本発明は単一の実施例で実現してもよい。
【００１３】
この明細書内で「１つの実施例」、「或る実施例」、「いくつかの実施例」、または「他の実施例」と示す場合、実施例に関係して述べる特定の機能、構造、または特徴は、本発明の少なくとも１つの実施例には含まれるが必ずしも全ての実施例にではないことを意味する。理解されるように、ここに用いる表現および用語は制限するものではなく、単に説明のためのものと解釈すべきである。
【００１４】
本発明の教示の原理および使用は添付の説明、図面、および例を参照すればよく理解できる。理解されるように、ここに述べる詳細は本発明の応用への制限と解釈すべきではない。更に、理解されるように、本発明は種々の方法で実行または実施してよく、また本発明は以下に概要を述べるものとは異なる実施例で実現してよい。
【００１５】
理解されるように、「含む」、「構成する」、「から成る」という用語およびその文法的変体は１つ以上の構成要素、機能、ステップ、またはそのインテジャ（ｉｎｔｅｇｅｒｓ）またはグループの追加を妨げるものではなく、また用語は構成要素、機能、ステップ、またはインテジャを指定すると解釈すべきである。「本質的に含む」という句およびその文法的変体は、ここに用いるときは追加の構成要素、ステップ、機能、そのインテジャまたはグループを除くのではなく、その追加の機能、インテジャ、ステップ、構成要素、またはグループは、クレームされた成分、装置、または方法の基本的かつ新規な特徴を実質的に変えないと解釈すべきである。
【００１６】
明細書またはクレームが「或る追加の」要素を指す場合は、２つ以上の追加の要素があることを妨げない。理解されるように、クレームまたは明細書が「或る」要素を指す場合は、その要素が１つだけあると解釈してはならない。理解されるように、明細書が、構成要素、機能、構造、または特性を「含んでよい」、「含むことがある」、「含むことが可能」、「含むことがあり得る」と述べるときは、その特定の構成要素、機能、構造、または特性を含む必要はない。
適用可能であれば、状態図、フロー図、またはその両方を用いて実施例を説明してよいが、本発明はこれらの図または対応する記述に限定されるものではない。例えば、フローは、それぞれ示されたボックスまたは状態を通り、または図示しまた説明したとおりに正確に同じ順序で動く必要はない。
【００１７】
本発明の方法は、選択されたステップまたはタスクを手動で、自動で、またはその組合せで実行しまたは完成することにより実現してよい。「方法」という用語は所定のタスクを達成させるための方法、手段、手法、および手続きを指し、本発明が属する技術の実務者に周知の、または周知の方法、手段、手法、および手続きから容易に開発できる、方法、手段、手法、および手続きを含むがこれらに限定されるものではない。クレームおよび明細書に提示される記述、例、方法、および材料は制限するものではなく、単なる例と解釈すべきである。
【００１８】
別段の指定がない限り、ここで用いる技術的および科学的用語の意味は、本発明が属する当業者が通常理解できるものである。本発明は検査および実施において、ここに述べたものと同等または同様の方法および材料で実現することができる。
この明細書で参照または言及する全ての刊行物（特許、特許出願、および論文を含む）は、各個別の刊行物を特定してかつ個別にここに援用すると示したものと同じ程度に、その全体をこの明細書に援用する。また、本発明のいくつかの実施例の記述における任意の参照文献の引用および識別は、かかる参照文献を本発明の従来の技術として利用することの承認と解釈してはならない。
【００１９】
次に、図１は本発明のいくつかの実施例に係る、呼出し適用性を持つ広告バナー１００を動作させまた提示するシステム１０００の概要を示す。これらの実施例では、システム１０００は次の少なくともいくつかを含んでよい。すなわち、ウエブサイトに関連する外部ウエブページ２００、少なくとも１つのバナー１００、少なくとも１台の中央サーバ５００、少なくとも１台のデータベース５５０、少なくとも１台の広告主の通信装置２０、少なくとも１台の呼出しシステム６００、および少なくとも１台のユーザの通信装置１０である。
【００２０】
本発明のいくつかの実施例では、図１に示すように、バナー１００はネットワークページ２００内に埋め込んでよい。バナー１００は広告内容１１０および追加の呼出しツール１２０を含んでよい。
本発明のいくつかの実施例では、広告内容１１０はこの技術で周知の任意のメディアおよび方法（オーラル、ビジュアル、テキスト、アニメ、グラフィカルなど）でバナー１００内に提示してよい。内容はこの技術で周知の任意の内容技術（例えば、ジャバ、シルバーライト、フラッシュ、ショックウエーブなど）を用いた任意の周知のコンピュータコード／スクリプトでよい。
【００２１】
本発明のいくつかの実施例では、図１に示すように、呼出しツール１２０は予め定めた広告主の通信装置２０と少なくとも１台のユーザの通信装置１０との間の呼出しを開始させる。呼出しツール１２０は少なくとも１つの予め定めた活動化条件に従って活動化し、非活動化し、提示し、または削除することができる。呼出しツール１２０は予め定めた規則に従ってバナー１００内で活動化してよい。この規則は少なくとも１つの活動化条件を含み、少なくとも１つの活動化条件を満たしたことを確認すると呼出しツール１２０を活動化する。
【００２２】
本発明のいくつかの実施例では、呼出しツール１２０が活動化すると視覚インジケータ１２５（バブルなど）が提示される。視覚インジケータ１２５により、ユーザ１１はインターフェース（インジケータ１２５をトリガすることによりユーザが呼出しツール１２０を入力できるようにする）を入力することができる。
いくつかの実施例では、インジケータ１２５は、例えば、ユーザがカーソルをインジケータ（例えば、バブル）の上で動かしたときだけ、またはインジケータの領域内でクリックしたときだけ、トリガすることができる。トリガすると、呼出しツール１２０全体がユーザ１１に提示される。
【００２３】
呼出し適用性および呼出しツール１２０を活動化しまた非活動化するための活動化条件はシステム１０００内で予め定めた任意の条件でよい。例えば、（Ａ）ユーザ１１が実施するイベントに依存する条件であって、例えば、（１）ユーザ１１が（任意の所定の時刻に）用いるネットワークページ、（２）以前の呼出し適用性の誤用などのユーザに関する情報、または（３）呼出しの予め定めたしきい値割当ての超過、の少なくとも１つ、（Ｂ）広告主２１が予め定めたイベントに依存する条件であって、例えば、（１）広告主２１が定義した予め定めたスケジューリング、（２）広告主２１の口座の状態、（３）予め定めた時間間隔内（例えば、１日当たり）に広告主２１が受けることを承認した最大呼出し、（４）接続した呼出しの最大数、（Ｃ）および／または呼出しツール１２０を活動化しまた非活動化し、提示しおよび／または隠し、これによりユーザ１１と広告主２１との間の通信を開始する（例えば、その装置１０と２０との間の呼出しを開始することによる）ツール１２０の能力を可能にしまた不能にする（それぞれ）ことができる任意の他の条件（自動式のまたは対話式の）、などである。
【００２４】
バナー１００の広告内容１１０は提示してよいが、呼出しツール１２０インジケータ１２５（例えば、アイコン、オプションなど）は呼出しツール１２０が活動化されたとき（すなわち、活動化条件が確認されたとき）だけ提示または表示してよい。これは、バナー１００が二重の機能を有することを意味する。すなわち、バナー１００は、呼出しツール１２０を全く提示しない普通のバナーとして機能するか、または元の広告内容１１０と呼出しツール１２０の両方をユーザ１１が利用できる「呼出しバナー」として機能してよい。広告内容１１０を隠さないようにするために呼出しツール１２０のインターフェースをバナー１００上に表示しない場合は、呼出しツール１２０を示すためのインジケータ１２５はオプションである。
【００２５】
広告バナー１００はウエブバナーなどのこの技術で周知の任意の電子バナーでよい。これは、インターネットまたは任意の他の通信ネットワーク９９のウエブページなどの、外部ネットワークページ２００内に埋め込むことができるソフトウエアアプリケーション（コード）である。バナー１００は、この技術で周知の種々の埋め込み方法に従ってページ２００内に埋め込んでよい。
追加してまたは代替して、バナー１００全体、またはバナー１００の独立部としての呼出しツール１２０は、バナー１００および／または呼出しツール１２０を不能にするためのターンオフ・オプションを有してよい。
【００２６】
各広告バナー１００は、１つ以上のウエブサイト内、および１つ以上のタイプのウエブページ２００および／または通信ネットワーク９９に関連する１つ以上のネットワークページ２００（例えば、ウエブページ２００）内に埋め込んでよい。更に、複数のバナー１００を複数のネットワークページ２００内に配信して、例えば、この技術で周知の少なくとも１台の広告サーバにより動作させまたは制御してよく、また呼出しツール１２０の活動化に関して、各バナー１００内の呼出しツール１２０はシステム１０００内のネットワーク９９を介して集中型制御サーバ５００に従属してよい。
【００２７】
ユーザ１１は１つ以上の通信ネットワーク９９（バナー１００を中に埋め込んだネットワークページ２００を用いまた見ることができる）を用いる任意のユーザ１１でよい。
広告主２１は、バナー１００を通して発表しおよび／またはバナー１００を維持して種々のページ２００内に埋め込む任意のエンティティでよく、この技術で周知のビジネス、会社、一人以上の個人などでよい。
【００２８】
通信装置１０および２０は、１つ以上の通信ネットワーク９８および／または９９（音声会話を処理する手段を含む）を介して通信することができるこの技術で周知の任意の通信装置でよい。或る場合には、通信装置１０は、サーフィングやブラウジングや装置１０および２０を用いることによりバナー１００を見たり対話したりして、データまたはこの技術で周知の任意の他の機能性を検索し、入力し、見て、情報（例えば、ビデオ、オーディオ、ビジュアルディスプレイなど）を検索しまた入力することもできる。かかる場合には、通信ネットワーク９９および９８は同じ通信ネットワーク（例えば、インターネット）でよく、バナー１００との対話も、通信装置１０および２０との音声会話の処理も行うことができる。例えば、各装置２０および１０は、この技術で周知の任意の通信およびインターフェース技術を用いるＰＣコンピュータ、インターネットアクセスが可能なラップトップ、ＷＡＰアクセスが可能な携帯電話、ｉフォン、ｉポッドなどの少なくとも１つでよい。
【００２９】
追加してまたは代替して、ユーザ／広告主１１／２１とネットワークページ２００との間の通信、およびユーザ１１と広告主２１との間の通信に用いるネットワーク９８および９９は、ユーザ１１および広告主２１が呼出しを実施するのに用いる通信装置１０および２０それぞれに従って異なってよい。
【００３０】
１つ以上の外部ウエブサイトのネットワークページ２００上に現われるバナー１００は、ユーザがバナー１００上でクリックするかまたはシステム１０００内で予め定めた任意の他の機能を行うと（例えば、リンクを通す）、広告主のウエブサイトまたはこの技術でミニサイトと呼ぶもの（以後「ソースウエブサイト」と呼ぶ）に向かってよい。バナー１００は、広告主の中央ウエブサーバまたはこの技術で周知の広告ネットワークサーバのような外部サーバが維持する。サーバは、種々の外部ウエブサイトおよびそのウエブページ２００を介して広告主２１の１つ以上のバナー１００の動作および配信を管理する。
【００３１】
サーバ５００はネットワークページ２００、バナー１００、広告主の通信装置２０、および少なくとも１台のデータベース５５０（開始した呼出し、登録した広告主２１、およびその装置２０に関するデータを記憶し、広告主２１または任意の他の許可されたユーザはその中に記憶しているデータを検索することができる）と関連して動作してよい。
【００３２】
いくつかの実施例では、サーバ５００は広告主の通信装置２０に直接接続するのではなく、少なくとも１台の通信オペレータ（呼出しシステム６００など）に接続して、ユーザ１１と広告主２１との間の呼出しを開始させる。例えば、通信オペレータは電話番号のリストを含む無線または有線の電話通信オペレータでよく、リストからの電話番号を用いて広告主の通信装置２０とユーザの通信装置１０との間の呼出しを開始させる。
【００３３】
本発明のいくつかの実施例では、中央サーバ５００は更に、一人以上の広告主２１に関連する追加の呼出しツール１２０を持つ複数の広告バナー１００を維持してよい。更にサーバ５００により、広告主２１は、自分のバナー１００内の呼出しツール１２０の保全の費用を支払うのに用いる口座を登録して開き、そのバナー内の呼出しツール１２０の機能を制御してよい。
【００３４】
本発明のいくつかの実施例では、システム１０００は少なくとも１台の呼出しシステム６００（例えば、１つ以上の通信ネットワーク９８のオペレータ）を更に含んでよい。これはサーバ５００に関連して動作し、サーバ５００にデータを送ることにより、呼出しおよび口座に関係する情報（この技術で周知の、トラヒック負荷を示すパラメータ、ユーザ１１の呼出し長さおよび状態、および／または任意の他の通信装置のアドレスおよびソースなど）に関してサーバ５００を更新してよい。
【００３５】
本発明のいくつかの実施例では、全ての活動化条件はサーバ５００でチェックしてよい。サーバ５００は予め定めた規則および優先度に従って呼出しツール１２０の活動化を有効または無効にしてよい（例えば、その呼出しツール１２０を非活動化する第１の優先度を持つのは、負債をかかえている広告主２１や、ネットワーク９８を介する広告主２１への呼出しが予め定めた最大限度に達したもの、などであろう）。
【００３６】
次に図２は、本発明のいくつかの実施例に係る、バナー１００の呼出しツール１２０の活動化および呼出しの開始のプロセスの概要を示す。これらの実施例では、プロセスは、
広告バナーを含むネットワークページを入力するステップ３０であって、ユーザ１１がネットワークページを入力するステップと、
中央サーバ５００と通信を開始してサーバに報告するステップ３１と、
ユーザの装置からデータ（例えば、装置のＩＰアドレス、地理的位置、参照領域アドレス、呼出しツール１２０を介したユーザの電話呼出しのクライアント側に記憶されている以前の履歴など）を集めるステップ３２と、
呼出しツール１２０を予め定めた規則（例えば、広告主２１のスケジュールまたは最大同時呼出し限度）に従って提示するための初期確認条件をチェックするステップ３３と、
【００３７】
確認チェックの結果、活動化が無効かまたはサーバ５００との通信がない場合は、呼出しツールを非活動化するステップ３４と、
確認チェックの結果が有効のときは呼出しツールを活動化するステップ３５と、
呼出し適用性をトリガするステップ３６（これはユーザ１１が行い、呼出しツール１２０をクリックしおよび／または自分の通信コード（例えば、電話番号）を挿入するなどのトリガリング行動を行ってよい）と、
ユーザ１１の行動に従って（例えば、ユーザの電話番号を入力すると）開始条件をチェックするステップ３７と、
ユーザと広告主との間の呼出しを開始する（開始条件を満たしたとき）ステップ３８と、
を含んでよい。
【００３８】
いくつかの実施例では、呼出しの開始中／開始後に追加の活動を行ってよい。例えば、呼出しを実行中に、呼出しに関するデータをサーバ５００内またはユーザのクライアントに集めて記憶するステップ３９を行ってよい（図２参照）。これは、後で請求書を送り、呼出しの履歴を分析し（例えば、呼出しの継続時間や呼出しの日時など）、システムの累積知識（ユーザの行動など）に情報を追加し、および／または将来バナー１００と自動的に対話できるようにするためにユーザのクライアント内のクライアント側の情報を記憶する（短くて失敗に終わった呼出しの電話番号、将来１クリックで呼び出して対話するためにユーザがタイプした最後の電話番号を記憶する）ためである。
【００３９】
本発明のいくつかの実施例では、ユーザの通信装置１０はユーザがネットワークページ２００を入力するのに用いるコンピュータでよい。広告主の通信装置２０の詳細はサーバ５００内に登録されているので、例えばボイス・オーバーＩＰ（ＶｏＩＰ）技術を実施することにより装置１０と２０との間の通信を開始して、バナー１００を通して、またはバナー１００によりリンクされる広告主２１のソースウエブサイトを通して、自動通信を行うことができる。ユーザの通信装置１０が固定線の電話ハンドセットの場合、またはバナー１００との対話に用いたことのない移動体ハンドセットの場合は、広告主の電話ハンドセット２０とユーザの電話ハンドセット１０とを接続するにはコールバック手続きを用いてよい。これには、この技術で周知のように、一方のハンドセットを呼び出し、次に他方のハンドセットを呼び出し、次に両方のハンドセットを接続する。両方のハンドセットを呼び出す順序（どちらを先に呼び出すか）は、データベース５５０に記憶されていてサーバ５００が与えるそのケースに特有のパラメータでよい。
【００４０】
次に図３は、本発明のいくつかの実施例に係る、呼出しツール１２０を持つバナー１００の概要を示す。
これらの実施例では、呼出しツール１２０は入力フィールド１２１（例えば、インターネットクッキーを用いるテキストフィールド）、仮想の呼出しボタン１２２、および呼出し経過インジケータ１２３を含むインターフェースを含んでよい。入力フィールド１２１はユーザ１１が自分の電話番号などの自分の通信コードを入力する場所であり、呼出しボタン１２２を押すとユーザ１１は呼び出しを承認することができる。いくつかの実施例では、バナー１００は、呼出しツール１２０が活動化したときに表示される視覚インジケータ１２５を更に含んでよい。インジケータ１２５はバナー１００内の対話式オブジェクトでよく、例えば、入力フィールド１２１、仮想の呼出しボタン１２２、および呼出し経過インジケータ１２３などを含む呼出しツール１２０のインターフェースをトリガしてよい。
【００４１】
これらの実施例では、ユーザ１１が入力フィールド１２１に入力した、最後に入力した通信コード（ユーザの通信装置１０との通信を確立するのに必要な通信項目（例えば、電話番号、ＶｏＩＰ口座識別子など）を含む）が記憶され、入力フィールド１２１内に自動的に再表示される。ユーザ１１が同じクライアント装置（パーソナルコンピュータなど）を用いる限り、このように記憶することによりこの識別子を他の広告主２１の他のバナー１００内の入力フィールド１２１のデフォルトオプションにすることができる。
【００４２】
いくつかの実施例では、ウエブクッキーによりユーザ１１の妥当性（例えば、これが、予め定めたユーザ無効化規則に従ってシステム内でユーザを「無効」と定義した問題のユーザ１１かどうか）を、例えば、ユーザの入力通信コードまたは呼出しツール１２０を用いて行った以前の呼出しの結果および長さを用いてチェックすることができる。
【００４３】
本発明のいくつかの実施例では、図３に示すように、ユーザ１１が自分の電話番号を入力して呼出しボタン１２２を押すと、システム１０００は広告主の通信装置２０とユーザ１１の電話（ユーザの通信装置１０として）との間の呼出しを自動的に開始する。例えば、呼出しは呼出しシステム６００が行い、任意の通信ネットワーク９８を介して広告主の通信装置２０からユーザの通信装置１０への呼出しを、例えば広告主２１の費用で、実行することができる。かかる呼出しの開始は、データベース５５０内に記憶されたデータおよび呼出しツール１２０がサーバ５００に与える追加のデータ（例えば、以前の呼出し履歴、タイミングなどのクライアントに関するデータ）に基づいてサーバ５００が行う自動的意思決定プロセスの結果でよく、かかる意思決定プロセスは、広告主２１に関する規則、呼出しのタイミング、および他の環境を更に含んでよい。
【００４４】
本発明のいくつかの実施例では、呼出しの開始は自分の電話番号を広告主２１に曝すことについてユーザ１１の選択に従ってよい。例えば、図３に示すように、呼出しツール１２０はユーザ１１のプライバシーに関係するチェックボックス１２４を含んでよく、ユーザ１１はその中に自分の選択の印をつけることができる。図３に更に示すように、呼出しの開始は呼出しの経過および／または呼出し接続に関するユーザ１１への視覚通知で監視してよい。呼出しの開始は決定プロセスに従ってよい。
呼出しを開始すると、この技術で周知のように、呼出し経過インジケータ１２３により通信状態および経過を容易に示すことができる。
【００４５】
次に図４は、本発明のいくつかの実施例に係る、ユーザの通信装置１０への呼出しを開始するプロセスの概要を示す。この実施例では、プロセスは、
呼出しツールを活動化するステップ４１であって、ユーザ１１が呼出しツール１２０をトリガするステップ（例えば、ネットワークページ２００のスクリーンページ上の予め定めた領域、例えばバナー１００内の予め定めた領域、の上でカーソル５０を動かすことにより）と、
ユーザの通信コード（例えば、電話番号）を入力するステップ４２であって、ユーザが自分の通信コードを入力フィールド１２１に入力するステップと、
【００４６】
ユーザのクライアントに記憶されたデータを集めるステップ４３であって、例えばこの技術で周知のクッキーを用いて呼出しの承認に関する補足的情報を求めるステップと、
サーバと通信するステップ４４であって、呼出し開始の確認に関する意思決定プロセスに必要な全ての情報を集めるためにデータベース５５０から情報を検索することを含むステップと、
呼出しが承認されると４５（例えば、ユーザ１０が呼出しボタンを押し、呼出しを無効にすべき理由がシステム１０００内に見当たらなかったとき）、広告主の通信装置２０からユーザの通信装置１０に呼出しを開始するステップ４６と、
【００４７】
呼出しデータを送るステップ４７であって、呼出しシステム６００が呼出しデータ（例えば、電話番号、呼出し長さ、呼出し状態、他の項目、時間パラメータ、販売期限（ｓａｌｅｓ  ｔｅｒｍｓ）内での呼出しの結果など）をサーバ５００に送るステップと、
呼出しデータを記憶するステップ４８であって、サーバ５００がデータをデータベース５５０内に記憶するステップと、
呼出しデータを処理するステップ４９であって、記憶された全ての呼出しデータをサーバ５００が処理するステップ（例えば、統計モジュールを用いて広告主２１に関連するデータを処理して統計値を出力することにより、広告主ユーザは販売プロモータとしてのバナー１００の効率を測定することができるなど）と、
データベースから情報を検索するステップ５１であって、システム１０００により、許可されたユーザおよび／または広告主２１が、得られた処理結果（例えば、各ネットワークページ２００内に埋め込んだ各バナー１００の統計的情報）を検索しまた見ることができるステップと、
を含んでよい。
【００４８】
次に図５は、本発明のいくつかの実施例に係る、バナーマネージャ３００の概要を示す。バナーマネージャ３００は、複数の広告主２１がそのバナー１００を、または特にそのバナー１００の呼出しツール１２０を、作成し、管理し、カスタム化できるようにするための任意のソフトウエアツール（例えば、ウエブサイト）でよい。
本発明のいくつかの実施例では、図５に示すように、バナーマネージャ３００は、バナーカスタム化ツール３１０（内容カスタム化モジュール３１１、呼出しツールカスタム化モジュール３１２、および統合モジュール３１３を含む）と、制御モジュール３２０と、口座モジュール３３０の少なくとも１つを含んでよい。
【００４９】
バナーカスタム化ツール３１０は、広告主２１がそのバナー１００および／または呼出しツール１２０を作成し、カスタム化し、更新できるようにしてよい。これは、通信ネットワーク９８と、種々の通信装置１０および２０の間で呼出しを実施しまた開始するための構成とを用いることに関する項目を定義しまた更新することを含む。
本発明のいくつかの実施例では、内容カスタム化モジュール３１１は、広告主２１がバナー１００内の広告の内容を作成し、カスタム化し、および／または更新できるようにしてよい。例えば、広告内容１１０として用いるために既存のバナーファイルを定義し、および／またはその内容を編集しまたは増やす（例えば、テキストを追加し、アニメフィルムを作成し、オーディオおよび／またはグラフィックメッセージを追加するなど）。
【００５０】
本発明のいくつかの実施例では、呼出しツールカスタム化モジュール３１２は、広告主２１が呼出しツール１２０と呼出しツール１２０の機能およびパラメータとを作成し、更新し、および／またはカスタム化できるようにしてよい。例えば、活動化条件を定義しまたは選択し、呼出しツール１２０の図形を定義し、呼出しツール１２０のインジケータ１２５の外観および図形を定義し、通信ネットワーク９８および広告主２１に利用可能な装置２０のタイプを定義し、宛先の電話番号または広告主の通信装置２０の識別および通信項目を入力しまた更新する、などである。
【００５１】
本発明のいくつかの実施例では、統合モジュール３１３は、バナー１００内の呼出しツール１２０と広告内容１１０とを、広告主が行ったカスタム化に従って、また異なる広告ネットワークおよび発行者ウエブページの構成要求に従って、統合してよい。統合モジュール３１３は更に、バナー１００をその内容および呼出しツール１２０に関して自動的に更新し、作成し、および／またはカスタム化して、広告主が行うカスタム化に従って、また各ネットワークページ２００の構成要求に従って、ネットワークページ２００内に提示してよい。
【００５２】
バナーカスタム化ツール３１０は、ＧＵＩアプリケーションを用いてグラフィカルおよびオーディオの編集および作成ツールを提供してよい。追加してまたは代替して、定義および設定はＧＵＩを用いずに、例えばインターネットウエブサービスまたはそれにロードまたはダウンロードした構成ファイルを用いて、バナーカスタム化ツール３１０に送ってよい。
【００５３】
本発明のいくつかの実施例では、制御モジュール３２０はバナーカスタム化ツール３１０および中央サーバ５００に関連して、バナーカスタム化ツール３１０が作成したバナー１００と呼出しツール１２０が開始した呼出しとを監視しまた管理してよい（例えば、バナーの呼出し／クリック／インプレッション（ｉｍｐｒｅｓｓｉｏｎｓ）に関する統計を受け、各発行されたバナー１００内の呼出しツールを活動化／非活動化し、その設定を編集し、グループ内のバナーを結合するなど）。
【００５４】
本発明のいくつかの実施例では、口座モジュール３３０はユーザインターフェースであって、これにより広告主２１は、広告主２１に関連する全てのバナーのものを含む個人口座を開きまた管理し、またバナーカスタム化ツール３１０のサービスおよび／またはバナー１００の呼出しツールが行った呼出しに対して支払って（またはこの技術で周知の他の技法、例えば、バナーインプレッション、リード（ｌｅａｄｓ）、会話した時間、クリックスルー（ｃｌｉｃｋ−ｔｈｒｏｕｇｈ）に対して支払って）よい。また、口座マネージャ３３０は全ての広告主２１の口座を管理し、また各広告主２１の資金状態をサーバ５００に送ってサーバ５００が活動化条件の少なくとも一部としてこのデータを計算しまた考慮できるようにしてよい。
【００５５】
システム１０００は、呼出し適用性および呼出しツール１２０を含まない広告主２１の既存のおよび設計されたバナーを、呼出しツール１２０のコードをバナー１００ファイル（例えば、フラッシュファイル）に統合することによりアップグレードしてよい。これは、コンピュータプログラム言語および各バナー１００の機能に依存して、任意のコードおよびアプリケーション統合技術（例えば、２００８年１月１０日出願の特許出願第６１／００６，３７９号に記述されている方法およびシステムであって、これを全体的にここに援用する）を用いて行ってよい。
【００５６】
本発明のいくつかの実施例では、呼出しツール１２０を活動化すると視覚インジケータ１２５（バブルなど）が提示される。視覚インジケータにより、ユーザ１１はインターフェース（インジケータをトリガすることによりユーザが呼出しツール１２０を入力できるようにする）を入力することができる。
いくつかの実施例では、インジケータは、例えば、ユーザがカーソルをインジケータ（例えば、バブル）の上で動かしたときだけ、またはインジケータの領域内でクリックしたときだけ、トリガすることができる。
【００５７】
本発明のいくつかの実施例では、各バナー１００は３セットのコンピュータコードを含む豊富なメディアファイルでよい。第１のコードセットは広告内容１１０とページスクリーン内のバナー１００の表示領域などの提示機能とを、特定のネットワークページ２００の制限および定義やグラフィック機能などに従って定義しまた制御する。第２のコードセットは呼出しツール１２０の呼出し適用性や表示やその他の機能を制御する。第３のコードセットは呼出しツール１２０のバナー１００への組込みおよび統合を、活動化条件に従って制御する。活動化および非活動化のときに全体のバナー１００の提示が変わる場合は、第３のコードセットは提示の変化およびそのパラメータおよび機能（例えば、グラフィカルパラメータおよび表示機能）を制御してよい。
【００５８】
本発明のいくつかの実施例では、第３のコードセットはユーザ１１と広告主２１との間のインターネット通信（例えば、テキストメッセージまたはＶｏＩＰを介した）を確立しまた実行してよい（例えば、通信装置１０および２０によりインターネットおよび／またはＶｏＩＰ通信が可能になる場合）。
いくつかの実施例では、システム１００は更に、記憶したデータを分析することにより複数の広告主２１が潜在的な顧客に関する情報を共有できるようにしてよい。このデータは、ユーザの通信コード（ユーザの電話番号）（１クリックで電話呼出しを開始することができる）、呼出しの履歴、呼出しの質の履歴（例えば、クライアント装置での過去の呼出し状態および継続時間を記憶することにより不正または誤用の分析を支援する）などである。
【００５９】
いくつかの実施例では、更にシステム１０００は、広告主２１および／または任意の他のユーザ（例えば、許可されたユーザ）がバナー１００の状態を、呼出し適用性を有しない非呼出しバナー１００から呼出しバナー１００に、またはその逆に（呼出しバナーから非呼出しバナーに）手動で変換できるようにしてよい。
【００６０】
限られた数の実施例に関して本発明を説明したが、これらは本発明の範囲を制限するものではなく、好ましい実施例のいくつかの例と解釈すべきである。当業者は本発明の範囲内にある他の可能な変形、修正、および応用を考えるであろう。したがって、本発明の範囲はこれまで述べたものにより限定されるのではなく、特許請求の範囲およびその法的均等物により限定されるべきである。
【図１】
2011509481.tif 000003
【図２】
2011509481.tif 000004
【図３】
2011509481.tif 000005
【図４】
2011509481.tif 000006
【図５】
2011509481.tif 000007
【国際調査報告】
2011509481.tif 000008